(57)【特許請求の範囲】
【請求項１】
回路板を所定の搬送経路上で送給するための直立型回路板加工搬送装置であって、
前記回路板を直立状態で前記所定の搬送経路にて送給させる規制手段と、
前記搬送経路に沿って設けられている移動手段と、
前記回路板を挟持するとともに前記回路板を垂直直立で配置するとともに、前記移動手段によって駆動されて、前記搬送経路上で送給されるキャリアフレームとを備えており、
前記規制手段は互いに離れている二本のワイヤを備えており、前記二本のワイヤの一端は固定され、他端にはそれぞれバランスウェイトが設けられて引張されており、
前記二本のワイヤは前記所定の搬送経路の方向に沿って引張され、前記回路板を前記二本のワイヤの間を通過させることを特徴とする直立型回路板加工搬送装置。
【請求項２】
前記規制手段は複数で増設されており、しかも上、下垂直方向の配列方式で設置されている、ことを特徴とする請求項１に記載の直立型回路板加工搬送装置。
【請求項３】
前記二本のワイヤの他端にはハンガがそれぞれ設けられており、前記複数のハンガにはいずれも貫通穴が設けられており、しかも前記バランスウェイト上にはフックが設けられており、前記フックは前記貫通穴に設けられ、前記二本における他端の末端近傍の箇所にはハンガローラがさらに設けられている、ことを特徴とする請求項１に記載の直立型回路板加工搬送装置。
【請求項４】
前記規制手段は前記二本のワイヤの一端にそれぞれ設けられている二つの位置決めローラユニットをさらに備えており、しかも前記二つの位置決めローラユニットは前記所定の搬送経路の前端の両側箇所にそれぞれ配置されている、ことを特徴とする請求項１、２または３に記載の直立型回路板加工搬送装置。
【請求項５】
前記位置決めローラユニットの各々がローラシャフトと、前記ローラユニット上に取付けられているローラとを備えており、しかも前記ワイヤの各々における一端は前記ローラ上に固定されるとともに、前記位置決めローラユニットの各々は前記ローラシャフトと連動する係止体と、前記係止体に互いに噛合する調整コマとをさらに備えている、ことを特徴とする請求項４に記載の直立型回路板加工搬送装置。
【請求項６】
前記調整コマ上には前記ローラシャフトに枢設するための枢支孔が設けられており、しかも前記調整コマ上には前記枢支孔に挿入されて前記調整コマが前記ローラシャフトにて相対的に回動するのを規制するピンがさらに設けられている、ことを特徴とする請求項５に記載の直立型回路板加工搬送装置。
【請求項７】
前記調整コマには前記係止体に対応して噛合する凹部が設けられており、前記係止体がギヤである、ことを特徴とする請求項５に記載の直立型回路板加工搬送装置。
【請求項８】
前記規制手段は前記所定の搬送経路の両側箇所にそれぞれ設けられている複数のリテーナプーリユニットをさらに備えており、しかも前記リテーナプーリユニットの各々はリテーナプーリシャフトと、前記リテーナプーリシャフトに取付けられているリテーナプーリとさらに備えている、ことを特徴とする請求項４に記載の直立型回路板加工搬送装置。
【請求項９】
前記規制手段は、前記所定の搬送経路の末端の両側箇所にそれぞれ配置されている二つの方向転換プーリユニットをさらに備えており、しかも前記方向転換プーリユニットの各々は方向転換シャフトと、前記方向転換シャフト上に取付けられている方向転換プーリとをさらに備えている、ことを特徴とする請求項４に記載の直立型回路板加工搬送装置。
【請求項１０】
前記キャリアフレームはトレイと、ステーと、クランプ台座と、複数のクランプとからなる、ことを特徴とする請求項１、２または３に記載の直立型回路板加工搬送装置。
【発明の詳細な説明】
【技術分野】
【０００１】
本発明は回路板のエッチング、洗浄などの加工装置に関し、とりわけ前記エッチング、洗浄などの作業を行いやすくするために回路板を搬送する直立型回路板加工搬送装置に関する。
【背景技術】
【０００２】
従来の直立型の回路板のエッチング、洗浄などの加工搬送装置では、通常、加工したい回路板を挟持して直立に吊り下げた後、所定の搬送経路で回路板を前方に搬送するものであり、回路板が前記搬送経路を経過するとき、回路板にエッチングまたは洗浄などの加工作業が行われる。
【発明の概要】
【発明が解決しようとする課題】
【０００３】
しかしながら、上記した従来の直立型の加工搬送装置では、回路板を駆動するときには、主に吊り下げるクランプにより回路板の上縁に挟持作用を提供して、回路板における二つの表面を露出して上記エッチングまたは洗浄などの作業を行うことができるようにしている。しかし回路板はエッチングまたは洗浄などの加工作業を通じた搬送の過程において、回路板の二つの表面は絶え間なくエッチング液または洗浄液による衝撃を受けるため、回路板がガタついたり、揺れてしまい、周囲の物品にぶつかり損傷または破損し、場合によっては所定の搬送経路から外れてしまうなどの問題が発生しやすくなる。
【０００４】
これに鑑み、本発明者は上記欠点を改善するために、専ら研究を重ねるとともに学理上の運用を合せることで、設計が合理的でかつ上記欠点を効果的に改善する本発明をついに提案することとなった。
【課題を解決するための手段】
【０００５】
本発明の主な目的は、エッチングまたは洗浄作業を行う回路板を所定の搬送経路上に安定的に規制するとともに、エッチング液または洗浄液の衝撃を受けることによりガタつきまたは揺れなどの不具合が発生することを減らし、ひいては回路板が周囲の物品にぶつかり損傷または破損し、場合によっては所定の搬送経路から外れてしまうなどの問題が発生するのを低減することができる直立型回路板加工搬送装置を提供するところにある。
【０００６】
本発明の他の目的は、耐腐食性の線材により回路板の規制効果を提供すると同時に、線材が長時間の引張、または環境温度の変化などの要因に伴って、弛んでしまう現象を防止でき、ひいては回路板に提供する規制作用を維持する直立型回路板加工搬送装置を提供するところにある。
【０００７】
上記目的を達成するために、本発明では、回路板を所定の搬送経路上で送給させるために、回路板を直立状態で前記所定の搬送経路にて送給させる規制手段と、搬送経路に沿って設けられている移動手段と、回路板を挟持するとともに回路板を垂直直立で配置するとともに、移動手段によって駆動されて、搬送経路上で送給されるキャリアフレームとを備えており、このうち、規制手段は互いに離れている二本のワイヤを備えており、二本のワイヤの一端は固定され、他端にはそれぞれバランスウェイトが設けられて引張されている。
【発明の効果】
【０００８】
エッチングまたは洗浄作業を行う回路板を所定の搬送経路上に安定的に規制するとともに、エッチング液または洗浄液の衝撃を受けることによりガタつきまたは揺れなどの不具合が発生することを減らし、ひいては回路板が周囲の物品にぶつかり損傷または破損し、場合によっては所定の搬送経路から外れてしまうなどの問題が発生するのを低減することができる。
【０００９】
耐腐食性の線材により回路板の規制効果を提供すると同時に、線材が長時間の引張、または環境温度の変化などの要因に伴って、弛んでしまう現象を防止でき、ひいては回路板に提供する規制作用を維持することができる。
【図面の簡単な説明】
【００１０】
【図１】本発明の直立型回路板加工搬送装置の立体外観模式図。
【図２】本発明の移動手段の断面模式図。
【図３】本発明の規制手段の立体外観模式図。
【図４】本発明の規制手段の先端箇所の局部立体外観模式図。
【図５】本発明の位置決めローラユニットの立体分解模式図。
【図６】本発明の規制手段の後端箇所の局部立体外観模式図。
【発明を実施するための形態】
【００１１】
審査官殿が本発明の特徴および技術内容をより理解できるようにするために、本発明に係る詳細な説明および図面を参照されたい。しかしながら図面は参考および説明用に止まるものであって、本発明を限定するためのものではない。
【００１２】
本発明の直立型回路板加工搬送装置の立体外観模式図である図１を参照されたい。本発明では、搬送される回路板５に所定の搬送経路Ｐにてエッチング、洗浄などの作業が行えるよう回路板５を搬送するための直立型回路板加工搬送装置を提供する。前記加工搬送装置は少なくとも一つの規制手段１と、移動手段２と、キャリアフレーム３とを備えている。
【００１３】
前記規制手段１は前記回路板５が直立した状態で、所定の搬送経路Ｐにて送給させるものである。前記所定の搬送経路Ｐの長さは、適用される回路板５の加工ニーズに合わせて調節するよう、実際の需要に応じて増減することができる。また、規制手段１は複数で増設し、しかも上、下垂直方向の配列方式で設置することで、回路板５に対応するブランク領域（エッチングを必要としない領域）に合わせるようにしてもよい。
【００１４】
前記移動手段２は前記所定の搬送経路Ｐに沿って配置するように、前記規制手段１の上方箇所に配置されている。そして本発明で記載される実施例において、前記移動手段２は複数のドライブプーリ２０からなり、前記キャリアフレーム３のトレイ３０をドライブプーリ２０上に設けた後（図２に示す）、ドライブプーリ２０での駆動によりキャリアフレーム３を所定の搬送経路Ｐに沿って送給させることで、キャリアフレーム３に垂直直立で挟持されている回路板５が搬送経路Ｐ上で移動可能となっている。
【００１５】
前記キャリアフレーム３は回路板５を挟持するとともに、回路板５を垂直直立で配置するためのものであって、トレイ３０と、ステー３１と、クランプ台座３２と、複数のクランプ３３とからなる。前記トレイ３０はキャリアフレーム３を搬送経路Ｐ上で送給できるように前記移動手段２に連結されており、そしてステー３１は前記トレイ３０の下方から垂直に延出するとともに、末端に前記クランプ台座３２が取付けられており、クランプ台座３２には各クランプ３３が設けられ、しかも各クランプ３３は回路板５の上縁を挟持するために、搬送経路Ｐの進行方向に沿って直線に配列されている。
【００１６】
また、前記加工搬送装置はさらにオープン手段４を備えており、前記オープン手段４は前記所定の搬送経路Ｐの前端箇所に設けられるとともに、相対的に動作する二つの押え４０を備えている。これによりキャリアフレーム３に回路板５が挟持される前に、前記オープン手段４の二つの押え４０によりキャリアフレーム３上の各クランプ３３に力を付与して、ひいては各クランプ３３の挟持口を開いて回路板５の上縁が進入した後に挟持するようにしている。これにより、上記移動手段２によって、回路板５が挟持されているキャリアフレーム３が所定の搬送経路Ｐに沿って規制手段１内に送り込まれる。
【００１７】
図３に示すように、本発明では主に規制手段１が互いに離れている二本のワイヤ１０と、前記ワイヤ１０の一端をそれぞれ固定するための二つの位置決めローラユニット１１と、前記ワイヤ１０の他端にそれぞれ設けられている二つのバランスウェイト１００とを備えている。このうち、二本のワイヤ１０は腐食性のポリテトラフルオロエチレン線材製であるとともに、前記所定の搬送経路Ｐの方向に沿って引張されることで、回路板５は二本のワイヤ１０によって搬送経路Ｐを外れることなく、そして例えばエッチング、洗浄などの作業をスムースに行うことができると同時に、二本のワイヤ１０での規制により回路板５がエッチング液または洗浄液の衝撃を受けて過度にガタついたり、または揺れたりすることで、回路板５が周囲の物品にぶつかり損傷または破損してしまうのを回避することによって、規制効果を達成することができる。
【００１８】
さらに図４に開示するものを併せて参照されたい。上記した各位置決めローラユニット１１は前記所定の搬送経路Ｐの前端の両側箇所に配置されており、いずれもローラシャフト１１０と、ローラシャフト１１０上に取付けられているローラ１１１とを備えており、そして二本のワイヤ１０の一端は対応するローラ１１１上にそれぞれ固定されている。しかも図５に示すように、各位置決めローラユニット１１はローラシャフト１１０と連動する係止体１１２と、前記係止体１１２に互いに噛合する調整コマ１１３とを備えており、しかも調整コマ１１３上には前記ローラシャフト１１０に枢設するための枢支孔１１４が設けられている。そして係止体１１２はギヤとされ、調整コマ１１３には前記係止体１１２に対応して噛合する凹部１１５が設けられるとともに、調整コマ１１３上にはその枢支孔１１４に挿入されるピン１１６が設けられて、調整コマ１１３とローラシャフト１１０とが相対的に回動するか否かを規制することができる。このように、前記調整コマ１１３を回動して位置決めローラユニット１１を回動させることで、ワイヤ１０のテンションを調整するとともに、調整完了後にピン１１６を挿入することで、位置決めとして調整コマ１１３とローラシャフト１１０とに相対的な回動が発生しないようにしている。また、前記規制手段１にて前記搬送経路Ｐの両側箇所には、二本のワイヤ１０を補助して所定の位置に維持するように規制する複数のリテーナプーリユニット１２をそれぞれ増設してもよい。各リテーナプーリユニット１２はいずれもリテーナプーリシャフト１２０と、前記リテーナプーリシャフト１２０に取付けられているリテーナプーリ１２１とさらに備えており、そしてワイヤ１０はリテーナプーリ１２１の周縁と接線方向で接触することで、前記補助規制の効果を達成している。
【００１９】
さらに図６に示すものを併せて参照されたい。二本のワイヤ１０の一端はすでに上記した位置決めローラユニット１１にて固定されているため、二本のワイヤ１０の他端はバランスウェイト１００の重量によって重力引張が生じて、ワイヤ１０のテンションを自動的に維持する効果をもたらし、ひいてはワイヤ１０が弛むのを防止している。本発明で開示する実施例において、二本のワイヤ１０の他端にはハンガ１０１がそれぞれ設けられており、ハンガ１０１にはバランスウェイト１００上に設けられているフック１０３と掛設する貫通穴１０２が設けられており、これによってワイヤ１０の長さに応じてバランスウェイト１００に必要な重量を決定することができる。また、前記規制手段１は前記所定の搬送経路Ｐの末端の両側箇所には、二本のワイヤ１０の方向を転換する方向転換プーリユニット１３をそれぞれ増設してもよい。各方向転換プーリユニット１３はいずれも方向転換シャフト１３０と、前記方向転換シャフト１３０上に取付けられている方向転換プーリ１３１とをさらに備え、しかも同様に方向転換プーリ１３１の周縁によりワイヤ１０と接線方向で接触する。さらに、上記した各位置決めローラユニット１１、各リテーナプーリユニット１２および各方向転換プーリユニット１３は本体１４上に個別または一体に設けられているが、本発明で開示する実施例においては、さらにワイヤ１０における他端の末端近傍の箇所に、前記バランスウェイト１００を吊り下げるように設けて、ワイヤ１０に重力を提供して引張するのを円滑にするためのハンガローラ１５が設けられている。
【００２０】
このように、上記した構成により、本発明の直立型回路板加工搬送装置が得られる。
【００２１】
上記をまとめるに、本発明は確かに所期の使用目的を達成し、従来技術の欠点を解決するものであって、また新規性および進歩性を備えていることから、発明特許の出願要件を完全に満たすので、ここに特許法に基づいて特許を出願する。審査官殿には、発明者の権利が保障されるよう、詳査のうえ本件が特許査定されることを願う。
【００２２】
ただし、上記は単に本発明の好ましい実現可能な実施例に過ぎず、これによって本発明の特許範囲を限定するものではないため、本発明の明細書および図面の内容を運用してなされる等価的な技術、手段などの変化はいずれも本発明の範囲内に含まれるということを予め弁明しておく。
【符号の説明】
【００２３】
（本発明）
１規制手段
１０ワイヤ
１００バランスウェイト
１０１ハンガ
１０２貫通穴
１０３フック
１１位置決めローラユニット
１１０ローラシャフト
１１１ローラ
１１２係止体
１１３調整コマ
１１４枢支孔
１１５凹部
１１６ピン
１２リテーナプーリユニット
１２０リテーナプーリシャフト
１２１リテーナプーリ
１３方向転換プーリユニット
１３０方向転換シャフト
１３１方向転換プーリ
１４本体
１５ハンガローラ
２移動手段
２０ドライブプーリ
３キャリアフレーム
３０トレイ
３１ステー
３２クランプ台座
３３クランプ
４オープン手段
４０押え
５回路板
【図１】
0005545501.tif 000002
【図２】
0005545501.tif 000003
【図３】
0005545501.tif 000004
【図４】
0005545501.tif 000005
【図５】
0005545501.tif 000006
【図６】
0005545501.tif 000007